(57)【要約】【課題】高効率バッテリバックアップシステムを提供する。【解決手段】本発明の各種実施形態は、高効率バッテリシステムを提供し、バッテリシステムの出力電圧が所定の電圧範囲内に維持されるようにバッテリシステムをインテリジェントに放電及び充電するシステム及び方法を提供する。いくつかの実施形態において、ベースボード管理コントローラ(ＢＭＣ)を用いて、バッテリシステムの充電及び放電を管理する。ＢＭＣは、バッテリシステムの過充電保護と過放電保護との両方を提供することができる。【選択図】図１Ａ
2019030203.tif 000002
【特許請求の範囲】
【請求項１】
サーバシステムのバッテリシステムを充電及び放電するためのコンピュータ実行方法であって、
前記サーバシステムのコントローラにて、前記サーバシステムのＡＣ電源及び電源ユニット(ＰＳＵ)の状態情報を受信する工程と、
前記ＡＣ電源又は前記ＰＳＵが故障した場合に、放電許可コマンドを生成して、前記バッテリシステムが前記サーバシステムに電力を放電するのを可能にする工程と、
通信インタフェースを介して、前記高効率バッテリシステムの状態情報を受信する工程と、
前記バッテリシステムの出力電圧が閾値の低値以下である場合に、放電禁止コマンドを生成して、前記バッテリシステムが前記サーバシステムに対してさらに電力を放電するのを禁止する工程と、を含む、
方法。
【請求項２】
前記バッテリシステムは、マイクロコントローラユニット(ＭＣＵ)と、バッテリチャージャと、バッテリパックと、Ｏｒｉｎｇ  ＭＯＳＦＥＴと、を備え、前記バッテリシステムは、放電ＤＣ／ＤＣコンバータを備えていない、請求項１の方法。
【請求項３】
前記バッテリチャージャは、前記ＰＳＵの出力に接続されており、前記ＭＣＵは、前記通信インタフェースを介して前記コントローラに接続されている、請求項２の方法。
【請求項４】
前記コントローラは、前記放電許可コマンド及び前記放電禁止コマンドを、前記通信インタフェースを介して前記ＭＣＵに送信することによって、前記バッテリシステムの放電を制御する、請求項３の方法。
【請求項５】
前記Ｏｒｉｎｇ  ＭＯＳＦＥＴは、前記バッテリパック及び前記ＭＣＵに直接接続されており、前記Ｏｒｉｎｇ  ＭＯＳＦＥＴは、前記サーバシステムのＤＣ／ＤＣコンバータに接続されている、請求項２の方法。
【請求項６】
前記ＰＳＵが異常動作する場合に、前記放電許可コマンドを生成して、前記バッテリシステムが前記サーバシステムに対して電力を放電するのを可能にする工程を有する、請求項１の方法。
【請求項７】
前記ＡＣ電源及び前記ＰＳＵが正常である場合に、充電許可コマンドを生成して、前記バッテリシステムが前記ＰＳＵによって充電されるのを可能にする工程を有する、請求項１の方法。
【請求項８】
前記バッテリシステムの出力電圧が閾値の高値以上である場合に、充電禁止コマンドを生成して、前記バッテリシステムが前記ＰＳＵによって充電されるのを禁止する工程を有する、請求項７の方法。
【請求項９】
バッテリシステムを充電及び放電するシステムであって、
プロセッサと、
命令を記憶するコンピュータ可読媒体であって、前記命令が前記プロセッサにより実行されると、前記システムに以下の操作を実行させるコンピュータ可読媒体と、を備え、
前記操作は、
前記システムのコントローラにて、前記システムのＡＣ電源及び電源ユニット(ＰＳＵ)の状態情報を受信する工程と、
前記ＡＣ電源又は前記ＰＳＵが故障した場合に、放電許可コマンドを生成して、前記バッテリシステムが前記システムに電力を放電するのを可能にする工程と、
通信インタフェースを介して、前記バッテリシステムの状態情報を受信する工程と、
前記バッテリシステムの出力電圧が閾値の低値以下である場合、放電禁止コマンドを生成して、前記バッテリシステムが前記システムに対してさらに電力を放電するのを禁止する工程と、を含む、
システム。
【請求項１０】
コンピュータ可読記憶媒体であって、システムの少なくとも１つのプロセッサによって実行されると、バッテリシステムを充電及び放電する操作を前記システムに実行させる複数の命令を有しており、
前記操作は、
前記システムのコントローラにて、前記システムのＡＣ電源及び電源ユニット(ＰＳＵ)の状態情報を受信する工程と、
前記ＡＣ電源又は前記ＰＳＵが故障した場合に、放電許可コマンドを生成して、前記バッテリシステムが前記システムに電力を放電するのを可能にする工程と、
通信インタフェースを介して、前記バッテリシステムの状態情報を受信する工程と、
前記バッテリシステムの出力電圧が閾値の低値以下である場合、放電禁止コマンドを生成して、前記バッテリシステムが前記システムに対してさらに電力を放電するのを禁止する工程と、を含む、
コンピュータ可読記憶媒体。
【発明の詳細な説明】
【技術分野】
【０００１】
本発明は、概してサーバシステムに関する。
【背景技術】
【０００２】
現在のサーバファーム又はデータセンターは、通常、多数のサーバを使用して、各種アプリケーションサービスに必要な処理を実行する。各サーバは、各種操作を処理し、これらの操作を維持するために一定レベルの電力消費を必要とする。これらの操作のいくつかは、「ミッションクリティカル」操作であり、これらの操作に関連するユーザに対する重大なセキュリティ侵害や収益損失を招く中断等がある。
【０００３】
しかし、データセンタへのＡＣ電力の中断は予測不能である。場合によっては、電力の中断により、突然シャットダウンしたり、及び／又は、データ損失を引き起こす可能性がある。データセンタは、通常、バックアップ電源（例えば、バッテリに蓄えられたエネルギー）を有しており、ＡＣ電力遮断中の電力消費をサポートする。入力電源の中断が発生する前にデータセンタが一定レベルのバックアップ電源を維持している場合に、突然のシャットダウンを防止することができる。しかし、バックアップ電力の効率及び信頼性を改善することが依然として課題となっている。
【発明の概要】
【発明が解決しようとする課題】
【０００４】
本発明の各種実施形態によるシステム及び方法は、バッテリシステムの出力電圧を所定の電圧範囲内に維持するようにバッテリシステムをインテリジェントに放電及び充電することによって、高効率のバッテリシステム及び上述した問題に対する解決策を提供する。より具体的には、本発明の各種実施形態では、サーバシステムのベースボード管理コントローラ(ＢＭＣ)を用いて、バッテリシステムの充電及び放電を管理するシステム及び方法を提供する。
【課題を解決するための手段】
【０００５】
いくつかの実施形態において、ＢＭＣは、通信インタフェースを介してバッテリシステムに接続されている。また、ＢＭＣは、サーバシステムの電源ユニット（ＰＳＵ）に接続されている。ＢＭＣは、ＰＳＵから停電信号を受信したことに応じて、バッテリシステムがサーバシステムに電力を放電するのを可能にする。停電信号は、ＰＳＵ又はＰＳＵに供給されるＡＣ電源の何れかが故障したことを示すことができる。
【０００６】
いくつかの実施形態において、ＢＭＣは、ＰＳＵ又はＰＳＵに供給されるＡＣ電源の状態情報を監視する。ＰＳＵ又はＡＣ電源が故障したと判断した場合、ＢＭＣは、放電許可コマンドを生成して、バッテリシステムがサーバシステムに電力を放電するのを可能にする。また、ＢＭＣは、バッテリシステムの出力電圧が所定の低値より高いか否かを判別することができる。バッテリシステムの出力電圧が所定の低値以下の場合、ＢＭＣは、放電禁止コマンドを生成して、バッテリシステムがサーバシステムに対してさらに電力を放電するのを禁止する。
【０００７】
いくつかの実施形態において、ＰＳＵが異常動作する（例えば、短期間の電圧低下（サグ））場合、ＢＭＣは、放電許可コマンドを生成して、バッテリシステムがサーバシステムに対して直ちに電力を放電するのを可能にする。バッテリシステムは、電力をサーバシステムに供給して、サーバシステムが安定した電源で動作することを保証する。
【０００８】
ＢＭＣは、ＰＳＵからＡＣ  ＯＫ信号を受信したことに応じて、充電許可命令を生成して、バッテリシステムがＰＳＵによって充電されるのを可能にする。パワーＯＫ信号（power ok signal）は、ＰＳＵ及びＰＳＵに供給されるＡＣ電源の両方が正常であることを示す。いくつかの実施形態において、ＢＭＣは、ＰＳＵ又はＰＳＵに供給されるＡＣ電源の状態情報を監視する。ＢＭＣは、ＰＳＵ及びＡＣ電源の両方が正常であると判別したことに応じて、充電許可コマンドを生成して、バッテリシステムがＰＳＵによって充電されるのを可能にする。また、ＢＭＣは、バッテリシステムの出力電圧が閾値の高い値より低いか否かを判別することができる。バッテリシステムの出力電圧が閾値の高い値以上である場合、ＢＭＣは、充電禁止コマンドを生成して、バッテリシステムがＰＳＵによってさらに充電されるのを禁止する。
【０００９】
いくつかの実施形態において、バッテリシステムは、マイクロコントローラユニット(ＭＣＵ)と、バッテリチャージャと、バッテリパックと、サーバシステムのＤＣ／ＤＣコンバータに接続されたＯｒｉｎｇ  ＭＯＳＦＥＴと、を有する。ＭＣＵは、通信インタフェースを介してＢＭＣに接続され、バッテリチャージャは、サーバシステムのＰＳＵの出力に接続される。ＢＭＣは、ＭＣＵ及び通信インタフェースを介して、バッテリシステムの充電及び放電を許可又は禁止することができる。
【００１０】
いくつかの実施形態において、ＢＭＣは、通信インタフェースを介して、ＭＣＵからバッテリシステムの状態情報を受信することができる。ＰＳＵ又はＡＣ電源の１つが故障し、バッテリシステムの出力電圧が所定の低値より高い場合、ＢＭＣは、放電許可コマンドをＭＣＵに送信して、バッテリシステムがサーバシステムに電力を放電するのを可能にする。ＰＳＵ又はＡＣ電源の１つが故障し、バッテリシステムの出力電圧が所定の低値以下の場合、ＢＭＣは、放電禁止コマンドをＭＣＵに送信して、バッテリシステムがサーバシステムに対してさらに電力を放電するのを禁止する。
【発明の効果】
【００１１】
バックアップ電力の効率及び信頼性を改善することができる。
【００１２】
本発明の上述した利点及び特徴並びに他の利点及び特徴を得ることができる方法を説明するために、上で簡単に説明した原理のより具体的な説明を、添付の図面で示される具体的な実施形態を参照して行う。これらの図面は、本発明の例示的な態様のみを示すものであって、本発明を限定するものではないことを理解すべきである。本発明の原理は、添付の図面の使用を通じた追加的な特徴及び詳細によって説明される。
【図面の簡単な説明】
【００１３】
【図１Ａ】本発明の一実施形態による、例示的な高効率バッテリバックアップ(ＢＢＵ)システムの概略ブロック図である。
【図１Ｂ】本発明の一実施形態による、ＡＣ電力の障害を検出したことに応じて、バッテリシステムを用いて電力を供給するタイミングチャートの概略ブロック図である。
【図１Ｃ】本発明の一実施形態による、高効率バッテリバックアップシステムを有する例示的なシステムを示す概略ブロック図である。
【図２】本発明の一実施形態による、高効率バッテリシステムを充電及び放電する例示的な方法を示す図である。
【図３】本発明の様々な実施形態による、例示的なコンピューティングデバイスを示す図である。
【図４】本発明の様々な実施形態による、例示的なシステムを示す図である。
【図５】本発明の様々な実施形態による、例示的なシステムを示す図である。
【発明を実施するための形態】
【００１４】
本発明は、多くの異なる実施形式により具体化され、図示され、詳細に記述される。本発明の実施形態を理解するための代表的な実施形態は、本発明の原理の例示を理解するために用いられるのであって、本発明の実施形態で開示された範囲を限定するものではない。例えば、要約、概要及び詳細な説明において開示されているが、請求項に明示されていない要素及び限定は、単独に又は集合的に、暗示、推論又は他の方式によって請求項に組み込まれるべきではない。本発明を詳細に説明する目的のために、特に断らない限り、単数形は複数形を含み、その逆も同様である。また、「含む」という用語は、「制限なしに含む」ことを意味する。さらに、「約」、「ほぼ」、「実質的に」、「おおよそ」等の用語を用いることができ、意義上、「近い又は接近する」、「３〜５％以内」、「許容製造公差内」又は任意のロジック上の組み合わせである。
【００１５】
本発明の各種実施形態は、バッテリシステムの出力電圧を所定の電圧範囲内に維持するように、高効率バッテリシステムをインテリジェントに放電及び充電するシステム及び方法を提供する。バッテリシステムは、マイクロコントローラユニット(ＭＣＵ)と、バッテリチャージャと、バッテリパックと、サーバシステムのＤＣ／ＤＣコンバータに接続されたＯｒｉｎｇ  ＭＯＳＦＥＴと、を有する。ＭＣＵは、通信インタフェースを介してサーバシステムのＢＭＣに接続され、バッテリチャージャは、サーバシステムのＰＳＵの出力に接続される。ＢＭＣは、バッテリシステムの充電及び放電を管理するとともに、バッテリシステムの過充電保護及び過放電保護の両方を提供する。
【００１６】
図１Ａは、本発明の実施形態による、システム１００Ａの例示的な高効率バッテリバックアップユニット(ＢＢＵ)のブロック図である。本実施形態において、システム１００Ａは、ＡＣ／ＤＣ電源ユニット(ＰＳＵ)１０２と、バッテリバックアップ(ＢＢＵ)システム１０３と、ＤＣ／ＤＣコンバータ１０５と、ベースボード管理コントローラ１０６と、を有する。ＰＳＵ１０２は、ＡＣ電源１０１に接続されており、電力をシステム１００Ａの他のコンポーネントに電力を供給するように構成されている。ＢＢＵシステム１０３は、マイクロコントローラユニット(ＭＣＵ)１０３−１と、バッテリチャージャ１０３−２と、バッテリパック１０３−３と、Ｏｒｉｎｇ  ＭＯＳＦＥＴ１０３−４と、を有する。バッテリチャージャ１０３−２は、ＰＳＵ１０２のＰＳＵ＿ＯＵＴ１０４とＭＣＵ１０３−１とに接続されている。Ｏｒｉｎｇ  ＭＯＳＦＥＴ１０３−４は、バッテリパック１０３−３及びＭＣＵ１０３−１に直接接続されており、さらに、ＤＣ／ＤＣコンバータ１０５に接続されている。
【００１７】
ＢＭＣ１０６は、ＰＳＵ１０２に接続されており、通信インタフェース１１０を介してＭＣＵ１０３−１に接続されている。ＢＭＣ１０６は、電源１０１の状態情報及びＰＳＵ１０２の状態情報をＰＳＵ１０２から受信する。
【００１８】
電源１０１又はＰＳＵ１０２の何れかが故障したと判別したことに応じて、ＢＭＣ１０６は、通信インタフェース１１０を介して放電許可コマンドをＭＣＵ１０３−１に送信し、これにより、ＢＢＵ１０３は、ＤＣ／ＤＣコンバータ１０５への電力の放電を開始することができる。また、ＢＭＣ１０６は、バッテリパック１０３−３の電圧情報を、通信インタフェース１１０を介してＭＣＵ１０３−１から受信することができる。ＢＭＣ１０６は、バッテリパック１０３−３の電圧が閾値の低値に達したと判別したことに応じて、放電禁止コマンドをＭＣＵ１０３−１に送信して、ＤＣ／ＤＣコンバータ１０５への電力の放電を停止することができる。いくつかの実施形態において、電源１０１又はＰＳＵ１０２の何れかが故障した場合、ＰＳＵ１０２は、停電信号１０９をＢＭＣ１０６に直接送信することができる。
【００１９】
電源１０１及びＰＳＵ１０２が正常であると判別したことに応じて、ＢＭＣ１０６は、充電許可コマンドを、通信インタフェース１１０を介してＭＣＵ１０３−１に送信することができ、これにより、バッテリチャージャ１０３−２は、ＰＳＵ＿ＯＵＴ１０４からの電力を受け取り、バッテリパック１０３−３の充電を開始する。また、ＢＭＣ１０６は、バッテリパック１０３−３の電圧情報を、通信インタフェース１１０を介してＭＣＵ１０３−１から受信することができる。バッテリパック１０３−３の電圧が閾値の高値に達したと判別したことに応じて、ＢＭＣ１０６は、充電禁止コマンドをＭＣＵ１０３−１に送信して、ＤＣ／ＤＣコンバータ１０５への充電電力を停止することができる。
【００２０】
図１Ｂは、停電信号の受信に応じて、サーバシステムのバッテリシステム（例えば、図１Ａに示すＢＢＵ１０３）を用いて電力を供給するタイミングチャート１００Ｂの概略ブロック図である。タイミングチャート１００Ｂに示すように、サーバシステムは、時間Ｔ０から時間Ｔ１の間では通常の状態で動作する。通常の状態では、バッテリシステム（例えば、ＢＢＵ１０３）は、電力を放電することができない。サーバシステムのＰＳＵは、ＡＣ電源（例えば、図１ＡのＡＣ電源１０１）を受け取り、ＤＣ出力電圧（例えば、図１ＡのＰＳＵ＿ＯＵＴ１０４）をサーバシステムのＤＣ／ＤＣコンバータに供給する。一方、バッテリシステム（例えば、ＢＢＵ１０３）は十分に充電され、ＤＣ出力電圧よりも高いバッテリパック電圧（例えば、図１Ａのバッテリパック電圧１０７）を維持する。
【００２１】
時間Ｔ１において、停電信号が、サーバシステムのコントローラ（例えば、ＢＭＣ）によって受信される。停電信号は、サーバシステムのＰＳＵによって生成することができる。停電信号は、サーバシステムのＡＣ電源又はＰＳＵの少なくとも１つが故障したことを示すことができる。停電信号の受信に応じて、コントローラは、放電許可コマンドをバッテリシステムに送信する。放電許可コマンドは、バッテリシステムに対して、時間Ｔ１において放電を開始させる。
【００２２】
いくつかの実施形態において、コントローラは、ＡＣ電源及びＰＳＵの状態情報をＰＳＵから受信する。コントローラは、サーバシステムのＡＣ電源又はＰＳＵの少なくとも１つが故障したと判別したことに応じて、放電許可コマンドをバッテリシステムに送信する。
【００２３】
Ｔ１からＴ４まで、バッテリシステムは、電力をサーバシステムに供給し、ＤＣ出力電圧（例えば、図１ＡのＢＢＵ＿ＯＵＴ１０７）を、サーバシステムのＤＣ／ＤＣコンバータに出力する。一方、サーバシステムのＰＳＵは、同じ期間において、ＤＣ／ＤＣコンバータに電力を供給しない。ＰＳＵはオフラインであるため、ＤＣ／ＤＣコンバータの出力電圧（例えば、図１ＡのＤＣ＿ＢＵＳ＿ＯＵＴ１０８）は、バッテリシステムのＤＣ出力電圧（例えば、図１ＡのＢＢＵ＿ＯＵＴ１０７）によって決定される。
【００２４】
時間Ｔ２において、バッテリシステムの出力電圧が減少し始め、これにより、ＤＣ／ＤＣコンバータの出力電圧（例えば、図１ＡのＤＣ＿ＢＵＳ＿ＯＵＴ１０８）が比例して減少する。
【００２５】
時間Ｔ４において、ＡＣ電源及びＰＳＵはオンラインに戻る。ＡＣ電源及びＰＳＵが正常であると判別したことに応じて、コントローラ（例えば、ＢＭＣ）は、充電許可コマンドを生成して、バッテリシステムがＰＳＵによって充電されるのを可能にする。
【００２６】
さらに、コントローラは、バッテリシステムの出力電圧が閾値の高値（例えば、５８Ｖ）以下であるか否かを判別する。時間Ｔ５において、バッテリシステムの出力電圧（例えば、図１ＡのＢＢＵ＿ＯＵＴ１０７）が閾値の高値に等しい場合、コントローラは、充電禁止コマンドを生成して、バッテリシステムがＰＳＵによってさらに充電されるのを禁止する。
【００２７】
全体として、本発明は、従来の解決策よりも優れている。従来のバッテリバックアップシステムでは、バッテリパックの出力電圧を狭い電圧範囲（例えば、１２．５Ｖ又は４８．５Ｖの±５％）に降圧するために、ＤＣ／ＤＣコンバータの放電を用いている。しかし、最高効率のＤＣ／ＤＣコンバータでさえも最大９５％の効率しか達成できない。本発明は、バッテリパックの出力電圧を降圧するためのＤＣ／ＤＣコンバータの放電を必要とすることなく、高効率のバッテリシステムを提供する。また、サーバシステムのコントローラ（例えば、ＢＭＣ）を用いて、バッテリシステムの出力電圧が所定の電圧範囲内に維持されるように、高効率バッテリシステムの充電及び放電を管理する。
【００２８】
図１Ｃは、本発明の実施形態による、高効率バッテリバックアップシステムを有する例示的なサーバシステム１００Ｃを説明する概略ブロック図である。この実施形態において、サーバシステム１００Ｃは、少なくとも１つのマイクロプロセッサ又はプロセッサ１１４と、１つ以上の冷却コンポーネント１１３と、メインメモリ（ＭＥＭ）１１２と、バッテリシステム１０３と、少なくとも１つの電源ユニット（ＰＳＵ）１０２と、を有する。ＰＳＵ１０２は、ＡＣ電力をＡＣ電源１０１から受け取り、電力を、サーバシステム１００Ｃの各種コンポーネント（例えば、プロセッサ１１４、バッテリシステム１０３、ノースブリッジ（ＮＢ）ロジック１１５、ＰＣＩｅスロット１６０、サウスブリッジ（ＳＢ）ロジック１１６、ストレージデバイス１１７、ＢＩＯＳ１１８、ＩＳＡスロット１５０、ＰＣＩスロット１７０及びコントローラ１０６等）に供給する。サーバシステム１００Ｃは、電源が投入された後、メモリ、コンピュータストレージデバイス又は外部ストレージデバイスからソフトウェアアプリケーションをロードして、各種操作を実行する。ストレージデバイス１１７は、サーバシステム１００Ｃのオペレーティングシステム及びアプリケーションで利用可能であり、サーバシステム１００Ｃの電源がオフになってもサーバデータを保持するように構成された論理ブロックに構造化される。
【００２９】
バッテリシステム１０３は、電源１０１又は少なくとも１つのＰＳＵ１０２の何れかが故障した場合に、サーバシステム１００Ｃに電力を供給するように構成されている。いくつかの実施形態において、バッテリシステム１０３は、マイクロコントローラユニット（ＭＣＵ）と、バッテリチャージャと、バッテリパックと、Ｏｒｉｎｇ  ＭＯＳＦＥＴと、を有する。バッテリパックは、１つ以上の充電式バッテリセルを有する。１つ以上の充電式ベッテルセルは、電気化学セル、燃料電池又はウルトラキャパシタを含むことができるが、これらに限定されない。電気化学セルは、鉛酸、ニッケルカドミウム（ＮｉＣｄ）、ニッケル金属水素化物（ＮｉＭＨ）、リチウムイオン（Ｌｉイオン）及びリチウムイオンポリマー（Ｌｉイオンポリマー）のリストのうち１つ以上の化学物質を含むことができる。充電モードでは、１つ以上の充電式バッテリセル、少なくとも１つのＰＳＵ１０２によって充電される。放電モードでは、１つ以上の充電式バッテリセルは、サーバシステム１００Ｃの他のコンポーネントに電力を供給することができる。
【００３０】
メモリ１１２は、ＮＢロジック１１５を介してプロセッサ１１４に接続され得る。メモリ１１２は、ダイナミックランダムアクセスメモリ（ＤＲＡＭ）、ダブルデータレートＤＲＡＭ（ＤＤＲ  ＤＲＡＭ）、スタティックＲＡＭ（ＳＲＡＭ）又は他のタイプの適切なメモリを含んでもよいが、これらに限定されない。メモリ１１２は、サーバシステム１００ＣのＢＩＯＳデータを記憶するように構成されてもよい。いくつかの構成では、ＢＩＯＳデータをストレージデバイス１１７に記憶することができる。
【００３１】
ＢＩＯＳ１１８は、サーバシステム１００Ｃの各種コンポーネントを初期化及び識別するように構成された任意のプログラム命令又はファームウェアであってもよい。ＢＩＯＳ１１８は、サーバシステム１００Ｃのハードウェアコンポーネントの初期化及びテストを担当する重要なシステムコンポーネントである。ＢＩＯＳは、ハードウェアコンポーネントのための抽象化層を提供することができ、これにより、アプリケーション及びオペレーティングシステムが、例えばキーボード、ディスプレイ及び他の入力／出力デバイス等の周辺デバイスと対話する一貫した方法を提供する。装置と相互作用する。
【００３２】
いくつかの実施形態において、ＢＩＯＳ１１８は、オペレーティングシステム（ＯＳ）（例えば、Ｍｉｃｒｏｓｏｆｔ  Ｗｉｎｄｏｗｓ（登録商標）、Ｌｉｎｕｘ（登録商標）  ＯＳ又は任意のオペレーティングシステム）を対応するサーバシステム上で起動する前に、システムチェックを実行することができる。システムチェックは、対応するサーバシステムの初期化中に実行される診断システム検査である。システムチェックの例には、パワーオンセルフテスト（ＰＯＳＴ）が含まれる。ＢＩＯＳは、ＰＯＳＴの主な機能を実行することができ、いくつかの職務を設計される別のプログラムにオフロードして、特定の周辺装置（例えば、ビデオ及びＳＣＳＩ（Small Computer System Interface））を初期化するように設計された他のプログラムへの負荷を軽減することができる。ＰＯＳＴの主な機能には、ＣＰＵレジスタ及びＢＩＯＳコードの整合性の確認、基本コンポーネントのチェック、システムメインメモリの検査、及び、制御権を他の専用ＢＩＯＳ拡張機能に渡すことが含まれる。さらに、いくつかの実施形態において、ＢＩＯＳは、全てのシステムバスとデバイスの発見、初期化及びカタログ化、システム構成の更新のためのユーザインタフェースの提供、並びに、オペレーティングシステムが必要とするシステム環境の構築を含むＰＯＳＴの追加機能を処理することができる。
【００３３】
システム１００Ｃにおいて、ストレージデバイス１１７は、ある期間内のプログラム命令又はデータを記憶するように構成された任意のストレージ媒体とすることができる。ストレージデバイスは、コントローラ１０６とプロセッサ１１４との間の共有メモリであってもよい。いくつかの実施形態において、ストレージデバイスは、独立したストレージデバイスであってもよい。ストレージデバイスは、フラッシュドライブ、ランダムアクセスメモリ（ＲＡＭ）、不揮発性ランダムアクセスメモリ（ＮＶＲＡＭ）、読み取り専用メモリ、又は、電気的に消去可能なＰＲＯＭ（ＥＥＰＲＯＭ）であってもよい。ストレージデバイスは、例えばＢＩＯＳデータ等のシステム構成を記憶するように構成されている。
【００３４】
プロセッサ１１４は、特定機能のプログラム命令を実行するように構成された中央処理ユニット(ＣＰＵ)であってもよい。例えば、ブートプロセスの間、プロセッサは、ストレージデバイス１１７に記憶されたＢＩＯＳデータにアクセスし、ＢＩＯＳ１１８を実行して、サーバシステム１００Ｃを初期化することができる。ブートプロセスの後、プロセッサ１１４は、オペレーティングシステムを実行して、サーバシステム１００Ｃの特定のタスクを実行及び管理する。
【００３５】
いくつかの実施形態において、プロセッサ１１４は、ＮＢロジック１１５に接続されたＣＰＵバスを介して互いに接続されたマルチコアプロセッサであってもよい。いくつかの実施形態において、ＮＢロジック１１５は、プロセッサ１１４に統合されてもよい。また、ＮＢロジック１１５は、複数の周辺機器相互接続エクスプレス（ＰＣＩｅ）スロット１６０及びサウスブリッジ（ＳＢ）ロジック１１６（任意）に接続されてもよい。複数のＰＣＩｅスロット１６０は、例えば、ＰＣＩ  Ｅｘｐｒｅｓｓ  ｘ１、ＵＳＢ２．０、ＳＭＢｕｓ、ＳＩＭカード、別のＰＣＩｅレーン用の将来の拡張、１．５Ｖ及び３．３Ｖの電力、並びに、サーバシステム１００Ｃのシャーシ上のＬＥＤを診断するワイヤ等の接続及びバスに用いられる。
【００３６】
システム１００Ｃにおいて、ＮＢロジック１１５及びＳＢロジック１１６は、周辺機器相互接続（ＰＣＩ）バス１１１によって接続されている。ＰＣＩバス１１１は、プロセッサ１１４の機能をサポートすることができるが、任意のＣＰＵのネイティブバスから独立した標準化フォーマットである。ＰＣＩバス１１１は、さらに、複数のＰＣＩスロット１７０（例えば、ＰＣＩスロット１７１）に接続されてもよい。ＰＣＩバス１１１に接続された装置は、ＣＰＵバスに直接接続され、プロセッサ１１４のアドレス空間内のアドレスが割り当てられ、単一のバスクロックに同期されたバスコントローラ（図示省略）であってもよい。ＰＣＩカードは、これらに限定されないが、ネットワークインタフェースカード（ＮＩＣｓ）、音声カード、モデム、ＴＶチューナカード、ディスクコントローラ、ビデオカード、スモールコンピュータシステムインタフェース（ＳＣＳＩ）アダプタ、及び、パーソナルコンピュータメモリカード国際協会（ＰＣＭＣＩＡ）カードを含む複数のＰＣＩスロット１７０に用いられてもよい。
【００３７】
ＳＢロジック１１６は、拡張バスを介して、ＰＣＩバス１１１を複数の拡張カード又はＩＳＡスロット１５０（例えば、ＩＳＡスロット１５１）に接続することができる。拡張バスは、ＳＢロジック１１６と周辺装置との間の通信に用いられるバスであってもよく、このバスは、これらに限定されないが、業界標準アーキテクチャ（ＩＳＡ）バス、ＰＣ／１０４バス、ローピンカウントバス、拡張ＩＳＡ（ＥＩＳＡ）バス、ユニバーサルシリアルバス（ＵＳＢ）、ＩＤＥ（integrated drive electronics）バス、又は、周辺装置のデータ通信に用いることができる他の任意の適切なバスを含む。
【００３８】
システム１００Ｃにおいて、ＳＢロジック１１６は、少なくとも１つのＰＳＵ１０２に接続されたコントローラ１０６に接続されている。いくつかの実施形態において、コントローラ１０６は、ベースボード管理コントローラ（ＢＭＣ）、ラック管理コントローラ（ＲＭＣ）、又は、メインの中央処理ユニット（例えば、プロセッサ１１４）から独立し、且つ、本明細書で開示された機能を実行するのに用いられる他のタイプのサービスコントローラであってもよい。
【００３９】
いくつかの実施形態において、コントローラ１０６は、少なくとも１つのＰＳＵ１０２に接続されており、少なくとも１つのＰＳＵ１０２から電源１０１及びＰＳＵ１０２の状態情報を受信することができる。例えば、コントローラ１０６は、電圧、電流及び温度データを、少なくとも１つのＰＳＵ１０２から受信することができる。コントローラ１０６は、受信したデータに基づいて、少なくとも１つのＰＳＵ１０２の動作を管理することができる。例えば、コントローラ１０６は、少なくとも１つのＰＳＵ１０２の電源をオン又はオフにすることができ、或いは、少なくとも１つのＰＳＵ１０２のうち一部の電源をオンにして、残りのＰＳＵの電源をオフにすることができる。いくつかの実施形態において、コントローラ１０６は、ＳＭＢｕｓ、Ｉ２Ｃ、ＣＡＮＢｕｓ又はＰＭＢｕｓを介して、少なくとも１つのＰＳＵ１０２と通信することができる。
【００４０】
また、コントローラ１０６は、バッテリシステム１０３に接続されており、バッテリシステム１０３の状態情報（例えば、バッテリシステムのバッテリパックの出力電圧及び電流、並びに、バッテリパックの温度）を受信することができる。例えば、コントローラ１０６は、通信インタフェースを介して、バッテリシステムのＭＣＵに接続することができる。
【００４１】
ＰＳＵ又はＡＣ電源の何れかが故障した場合、コントローラ１０６は、放電許可コマンド命令を生成して、バッテリシステム１０３がサーバシステム１００Ｃに電力を放電するのを可能にする。また、コントローラ１０６は、バッテリシステム１０３の出力電圧が、閾値の低値より高いか否かを判別する。バッテリシステム１０３の出力電圧が閾値の低値以下である場合、コントローラ１０６は、放電禁止コマンドを生成して、バッテリシステム１０３がサーバシステム１００Ｃに対してさらに電力を放電するのを禁止する。
【００４２】
コントローラ１０６は、少なくとも１つのＰＳＵ１０２とＡＣ電源１０１との両方が正常であると判別したことに応じて、充電許可コマンドを生成して、バッテリシステム１０３が少なくとも１つのＰＳＵ１０２によって充電されるのを可能にする。また、コントローラ１０６は、バッテリシステム１０３の出力電圧が閾値の高値より低いか否かを判別する。バッテリシステム１０３の出力電圧が閾値の高値以上である場合、コントローラ１０６は、充電禁止コマンドを生成して、バッテリシステム１０３が少なくとも１つのＰＳＵ１０２によってさらに充電されるのを禁止する。
【００４３】
いくつかの実施形態において、コントローラ１０６は、バッテリシステム１０３の各バッテリセルの動作特性及びバッテリパックの動作モードを監視することができる。例えば、コントローラ１０６は、バッテリシステム１０３の各バッテリセルの出力電圧、各バッテリセルの温度及びＤＣ抵抗、各バッテリセルの出力電圧及びＤＣ抵抗、充電及び放電履歴、並びに／又は環境温度を監視することができる。バッテリシステム１０３の各バッテリセルの動作特性に基づいて、コントローラ１０６は、ＡＣパワーアウトレージ（power outrage）の場合に、適切なパワーダウンシーケンスを決定することができる。例えば、サーバシステム１００Ｃのプロセスを転送するための電力を節約するために、又は、サーバシステム１００Ｃに処理データを安全に記憶するために、特定の重要でないコンポーネントを最初にパワーオフしてもよい。
【００４４】
いくつかの実施形態において、コントローラ１０６は、インテリジェントプラットフォーム管理バス／ブリッジ(ＩＰＭＢ)を用いて、インテリジェントプラットフォーム管理インタフェース(ＩＰＭＩ)メッセージを介してプロセッサ１１４及びストレージデバイス１１７と通信することができる。ＩＰＭＢは、Ｉ２Ｃバスの拡張版であり、メッセージベースのハードウェアレベルの基本インタフェース規格である。
【００４５】
いくつかの実施形態において、コントローラ１０６は、電源パターン、サーバラック及び／又はデータセンタの温度、データセンタに関連するパワーアウトレージ警告、処理要求、並びに、サーバシステム１００Ｃのコンポーネント及び／又は接続状態を監視するように構成されてもよい。少なくとも潜在的／予期されるＡＣパワーアウトレージに基づいて、コントローラ１０６は、サーバシステム１００Ｃのプロセスを、潜在的／予期されるＡＣパワーアウトレージの影響を受けない他のサーバシステムに転送するように構成されてもよく、サーバシステム１００Ｃに電力を供給するようにバッテリシステム１０３を準備する。
【００４６】
図１Ａ及び図１Ｃの例示的なシステム１００Ａ，１００Ｃには特定のコンポーネントのみが示されているが、例示的なシステム１００Ａ，１００Ｃには、データを処理若しくは記憶することができ、又は、信号を送受信することができる様々なタイプの電子又はコンピューティングコンポーネントが含まれてもよい。さらに、例示的なシステム１００Ａ，１００Ｃの電子又はコンピューティングコンポーネントは、各種タイプのアプリケーションを実行するように構成されてもよく、及び／又は、各種タイプのオペレーティングシステムを用いることができる。これらのオペレーティングシステムには、これらに限定されないが、Ａｎｄｒｏｉｄ（登録商標）、ＢＳＤ（Berkeley Software Distribution）、ｉＰｈｏｎｅ（登録商標）  ＯＳ（ｉＯＳ）、Ｌｉｎｕｘ（登録商標）、ＯＳ  Ｘ（登録商標）、Ｕｎｉｘ（登録商標）系リアルタイムオペレーティングシステム（例えば、ＱＮＸ等)、Ｍｉｃｒｏｓｏｆｔ  Ｗｉｎｄｏｗｓ（登録商標）、Ｗｉｎｄｏｗ  Ｐｈｏｎｅ、及び、ＩＢＭ  ｚ／ＯＳ（登録商標）が含まれる。
【００４７】
例示的なシステム１００Ａ，１００Ｃの所望の実装に応じて、例えば、ＴＣＰ／ＩＰ、オープン型システム相互接続（ＯＳＩ）、ファイル転送プロトコル（ＦＴＰ）、ユニバーサルプラグアンドプレイ（ＵｐｎＰ）、ネットワークファイルシステム（ＮＦＳ）、コモンインターネットファイルシステム（ＣＩＦＳ）、ＡｐｐｌｅＴａｌｋ（登録商標）等を含むがこれらに限定されない各種ネットワーク及びメッセージプロトコルが用いられてもよい。当業者なら理解できるように、図１Ａ及び図１Ｃに示されるシステム１００Ａ，１００Ｃは、説明のために用いられる。よって、ネットワークシステムは、必要に応じて多くのバリエーションを実装することができ、本発明の各種実施形態を用いたネットワークプラットフォームの構成を提供する。
【００４８】
図１Ａ及び図１Ｃの構成において、例示的なシステム１００Ａ，１００Ｃは、特定のワイヤレスチャネルのコンピューティング範囲内の１つ以上の電子デバイスと通信するように動作可能な１つ以上のワイヤレスコンポーネントをさらに含むことができる。ワイヤレスチャネルは、例えば、ブルートゥース（登録商標）、セルラー、ＮＦＣ又はＷｉ−Ｆｉ（登録商標）チャネル等のように、装置が無線で通信できるようにするために用いられる任意の適切なチャネルであってよい。従来の技術のように、装置は、１つ以上の従来の有線通信接続を有し得ることを理解されたい。各種実施形態の範囲内で、各種の他のコンポーネント及び／又はその組み合わせが可能である。
【００４９】
図２は、本発明の一実施形態による、サーバシステムの高効率バッテリシステムを充電及び放電する例示的な方法２００を示す図である。例示的な方法２００は、説明目的のためにのみ提示され、本発明の他の方法では、類似若しくは代替の順序で、又は、並行して実行される、追加の、より少ない、若しくは、代替の工程を有してもよい。例示的な方法２００は、工程２０２から開始される。図１Ａ〜図１Ｃに示すように、工程２０４において、サーバシステムのコントローラ（例えば、ＢＭＣ）は、サーバシステムのＰＳＵ及びＡＣ電源が正常であるか否かを判別することができる。いくつかの実施形態において、コントローラは、ＰＳＵ及びＡＣ電源の状態情報を受信し、受信した状態情報に基づいて、ＰＳＵ及びＡＣ電源が正常であるか否かを判別することができる。いくつかの実施形態において、ＰＳＵ又はＡＣ電源の機能が異常であると判別したことに応じて、ＰＳＵは、停電信号を生成することができる。
【００５０】
図１Ａ〜図１Ｃに示すように、工程２０６において、ＰＳＵ又はＡＣ電源の何れかが故障した場合、コントローラは、放電許可コマンドを生成して、高効率バッテリシステムがサーバシステムに電力を放電するのを可能にする。いくつかの実施形態において、高効率バッテリシステムは、マイクロコントローラユニット(ＭＣＵ)と、バッテリチャージャと、バッテリパックと、サーバシステムのＤＣ／ＤＣコンバータに接続されたＯｒｉｎｇ  ＭＯＳＦＥＴと、を有する。高効率バッテリシステムには、放電ＤＣ／ＤＣコンバータが含まれていない。
【００５１】
図１Ａ〜図１Ｃに示すように、工程２０８において、バッテリシステムは、放電許可コマンドを受信したことに応じて、サーバシステムに電力を供給する。いくつかの実施形態において、ＰＳＵが異常動作する（例えば、短期間の電圧低下（サグ））場合、コントローラは、放電許可コマンドを生成して、バッテリシステムがサーバシステムに対して直ちに電力を放電するのを可能にする。バッテリシステムは、サーバシステムに電力を供給して、サーバシステムが安定した電源で動作することを保証する。
【００５２】
図１Ａ〜図１Ｃに示すように、工程２１０において、コントローラは、バッテリシステムのバッテリ電圧が閾値の低値に達しているか否かを判別することができる。バッテリシステムのバッテリ電圧が閾値の低値より高い場合、バッテリシステムは、サーバシステムへの電力の放電を続け、方法２００は工程２１０に戻る。
【００５３】
図１Ａ〜図１Ｃに示すように、工程２１２において、バッテリシステムの出力電圧が所定の低値以下である場合、コントローラは、放電禁止コマンドを生成して、バッテリシステムがサーバシステムに対してさらに電力を放電するのを禁止する。
【００５４】
図１Ａ〜図１Ｃに示すように、工程２１４において、ＰＳＵ及びＡＣ電源の両方が正常である場合、サーバシステムは、通常動作モードに移行する。図１Ａ〜図１Ｃに示すように、工程２１６において、コントローラは、充電許可コマンドを生成して、バッテリシステムがＰＳＵによって充電されるのを可能にする。
【００５５】
図１Ａ〜図１Ｃに示すように、工程２１８において、コントローラは、バッテリシステムの出力電圧が閾値の高値より低いか否かを判別することができる。バッテリシステムのバッテリ電圧が閾値の高値より低い場合、バッテリシステムはＰＳＵによって充電され続け、方法２００は工程２１６に戻る。
【００５６】
図１Ａ〜図１Ｃに示すように、工程２２０において、バッテリシステムの出力電圧が閾値の高値以上である場合、コントローラは、充電禁止コマンドを生成して、バッテリシステムがＰＳＵによってさらに充電されるのを禁止する。
【００５７】
上述した議論は、本発明の原理及び各種実施形態を説明することを意図している。上記の開示が十分に理解されると、多くの変形及び修正が明らかになるであろう。
【００５８】
（専門用語）
コンピュータネットワークは、エンドポイント（例えば、パーソナルコンピュータとワークステーション）間でデータを伝送するための通信リンク及びセグメントによって相互接続された、地理的に分散したノードの集合である。ローカルエリアネットワーク（ＬＡＮｓ）及び広域ネットワーク（ＷＡＮｓ）からオーバーレイ及びソフトウェア定義ネットワーク（例えば、仮想拡張可能ローカルエリアネットワーク（ＶＸＬＡＮｓ））まで、多くのタイプのネットワークを利用することができる。
【００５９】
ＬＡＮｓは、通常、同一の物理位置（例えば、ビルやキャンパス等）に位置する専用のプライベート通信リンクを介して、ノードを接続する。一方、ＷＡＮｓは、通常、長距離通信リンク（例えば、一般的なキャリア電話回線、光路、同期型光学ネットワーク（ＳＯＮＥＴ）、又は、同期デジタル階層（ＳＤＨ）リンク等）を介して、地理的に分散したノードを接続する。ＬＡＮｓ及びＷＡＮｓは、レイヤ２（Ｌ２）及び／又はレイヤ３（Ｌ３）ネットワークと装置とを含むことができる。
【００６０】
インターネットは、世界中の異種ネットワークを接続するＷＡＮの一例であり、各種ネットワークのノード間のグローバル通信を提供する。ノードは、通常、所定プロトコル（例えば、通信制御プロトコル／インターネットプロトコル（ＴＣＰ／ＩＰ））にしたがって、データの個別のフレーム又はパケットを交換することによって、ネットワークを介して通信する。この文脈では、プロトコルは、ノードが互いにどのように相互作用するかを定義する一組のルールを参照することができる。コンピュータネットワークは、中間ネットワークノード（例えば、ルータ）によってさらに相互接続されており、各ネットワークの有効な“サイズ”を拡張する。
【００６１】
オーバーレイネットワークは、通常、物理ネットワークインフラストラクチャ上に仮想ネットワークを生成し、階層化することを可能にする。オーバレイネットワークプロトコル（例えば、仮想拡張可能ＬＡＮ（ＶＸＬＡＮ）、汎用ルーティングカプセル化（ＮＶＧＲＥ）を用いたネットワーク仮想化、ネットワーク仮想化オーバーレイ（ＮＶＯ３）、及び、ステートレストランスポートトンネリング（ＳＴＴ）等）は、ネットワークトラフィックが、論理トンネルを介して、Ｌ２及びＬ３ネットワークで実行できるようにするトラフィックカプセル化スキームを提供する。このような論理トンネルは、仮想トンネルエンドポイント（ＶＴＥＰ）を介して発信及び終了することができる。
【００６２】
さらに、オーバーレイネットワークは、ＶＭが通信する仮想Ｌ２及び／又はＬ３オーバーレイネットワークを含むことの可能な仮想セグメント（例えば、ＶＸＬＡＮオーバーレイネットワーク内のＶＸＬＡＮセグメント）を有することができる。仮想セグメントは、関連する仮想セグメント又はドメインを具体的に識別することができる例えばＶＸＬＡＮネットワーク識別子等の仮想ネットワーク識別子（ＶＮＩ）を介して識別することができる。
【００６３】
ネットワーク仮想化は、ハードウェア及びソフトウェアリソースを仮想ネットワーク内で組み合わせることを可能にする。例えば、ネットワーク仮想化では、複数のＶＭを、それぞれの仮想ＬＡＮｓ（ＶＬＡＮｓ）を介して物理ネットワークに接続することができるようにする。ＶＭｓは、それぞれのＶＬＡＮにしたがってグループ化することができ、内部又は外部ネットワーク上の他の装置と同様に、他のＶＭと通信することができる。
【００６４】
ネットワークセグメント（例えば、物理セグメント若しくは仮想セグメント、ネットワーク、デバイス、ポート、物理リンク若しくは論理リンク、及び／又は、トラフィック等）は、通常、ブリッジ又はフラッドドメインにグループ化される。ブリッジドメイン又はフラッドドメインは、ブロードキャストドメイン（例えば、Ｌ２ブロードキャストドメイン）を表す。ブリッジドメイン又はフラッドドメインは、単一のサブネットを有し得るが、複数のサブネットを有してもよい。さらに、ブリッジドメインは、ネットワーク装置（例えば、スイッチ）上のブリッジドメインインタフェースに関連付けることができる。ブリッジドメインインタフェースは、Ｌ２ブリッジネットワークとＬ３ルーテッドネットワークとの間のトラフィックをサポートする論理インタフェースであってもよい。また、ブリッジドメインインタフェースは、インターネットプロトコル（ＩＰ）ターミネーション、ＶＰＮターミネーション、アドレス解決処理、ＭＡＣアドレッシング等をサポートしてもよい。ブリッジドメインとブリッジドメインインタフェースは、同じインデックス又は識別子により識別される。
【００６５】
さらに、アプリケーションをネットワークにマッピングするために、エンドポイントグループ(ＥＰＧｓ)をネットワークで使用することができる。特に、ＥＰＧｓは、ネットワーク内のアプリケーションエンドポイントのグルーピングを用いて、接続性及びポリシーをアプリケーショングループに適用することができる。ＥＰＧｓは、バケットのコンテナ若しくはアプリケーションの集合、又は、アプリケーションコンポーネント、並びに、転送、及び、ポリシーロジックを実行する段（tiers）として機能することができる。また、ＥＰＧｓは、論理的なアプリケーション境界を代わりに用いて、ネットワークポリシー、セキュリティ、及び、アドレッシングからの転送の分離を可能にする。
【００６６】
クラウドコンピューティングは、共有リソースを用いてコンピューティングサービスを提供するために、１つ以上のネットワークに提供され得る。クラウドコンピューティングは、通常、コンピューティングリソースが動的にプロビジョニングされ、ネットワーク（例えば、クラウド）を介して利用可能なリソースの集合からオンデマンドでクライアントコンピュータ若しくはユーザコンピュータ又は他の装置に割り当てられるインターネットベースのコンピューティングを含むことができる。クラウドコンピューティングリソースは、例えば、コンピューティング、ストレージ、ネットワーク装置及び仮想マシン（ＶＭ）等の任意のタイプのリソースを含むことができる。例えば、リソースは、サービス装置（ファイヤウォール、ディープパケットインスペクタ、トラフィックモニタ、ロードバランサ等）、計算／処理装置（サーバ、ＣＰＵ、メモリ、ブルートフォース処理機能）、ストレージデバイス（例えば、ネットワーク接続ストレージ、ストレージエリアネットワーク装置）等を有することができる。また、かかるリソースが用いられて、仮想ネットワーク、仮想マシン（ＶＭ）、データベース、アプリケーション（Ａｐｐｓ）等をサポートすることができる。
【００６７】
クラウドコンピューティングリソースは、「プライベートクラウド」、「パブリッククラウド」及び／又は「ハイブリッドクラウド」を有することができる。「ハイブリッドクラウド」は、技術を介して相互運用（inter-operate）又は連携（federate）する２つ以上のクラウドから構成されるクラウドインフラストラクチャとすることができる。本質的に、ハイブリッドクラウドは、プライベートクラウドがパブリッククラウドに加わり、パブリッククラウドリソースを安全且つスケーラブルに利用する、プライベートクラウド及びパブリッククラウド間の相互作用である。また、クラウドコンピューティングリソースは、ＶＸＬＡＮ等のオーバーレイネットワーク内の仮想ネットワークを介して、プロビジョニングすることができる。
【００６８】
ネットワークスイッチシステムにおいて、ルックアップデータベースを維持して、スイッチシステムに接続されたいくつかのエンドポイント間のルートを追跡することができる。しかし、エンドポイントは、様々な構成を有することができ、且つ、多数のテナントに関連付けられている。これらのエンドポイントは、各種識別子（例えば、ＩＰｖ４、ＩＰｖ６又はレイヤ２（Layer-2）等）を有することができる。ルックアップデータベースは、異なるタイプのエンドポイント識別子を処理するために、異なるモードで構成される必要がある。ルックアップデータベースの容量は、着信パケットの異なるアドレスタイプを処理するように設計される。さらに、ネットワークスイッチシステム上のルックアップデータベースは、通常、１Ｋ仮想ルーティング及び転送（ＶＲＦｓ）によって制限される。これにより、各種タイプのエンドポイント識別子を処理するために、改善されたルックアップアルゴリズムが必要とされている。本発明の技術は、電気通信ネットワークにおけるアドレスルックアップに必要な技術を提供する。本発明は、エンドポイント識別子を一様な空間にマッピングし、異なる形式のルックアップを一様に処理することによって、様々なタイプのエンドポイント識別子を統合するためのシステム、方法及びコンピュータ可読ストレージ媒体を開示する。例示的なシステム及びネットワークの手短な前置きは、図３と図４に示されるように、本明細書に開示される。これらの変形例は各種実施形態において説明される。本技術について図３を参照する。
【００６９】
図３は、本発明を実行するのに適したコンピューティングデバイス３００の一例を示す図である。コンピューティングデバイス３００は、マスタ中央処理装置（ＣＰＵ）３６２と、インタフェース３６８と、バス３１５（例えば、ＰＣＩバス）と、を有する。ＣＰＵ３６２は、適切なソフトウェア又はファームウェアの制御下で動作する場合、パケット管理、エラー検出、及び／又は、例えば配線ミス検出機能等のルーティング機能の実行を担う。ＣＰＵ３６２は、好ましくは、オペレーティングシステム及び任意の適切なアプリケーションソフトウェアを含むソフトウェアの制御下で、これらの全ての機能を実現する。ＣＰＵ３６２は、Ｍｏｔｏｒｏｌａファミリのマイクロプロセッサ又はＭＩＰＳファミリのマイクロプロセッサ等の１つ以上のプロセッサ３６３を含むことができる。他の実施形態において、プロセッサ３６３は、コンピューティングデバイス３００の操作を制御するために特別に設計されたハードウェアである。特定の実施形態において、メモリ３６１（例えば、不揮発性ＲＡＭ及び／又はＲＯＭ）は、さらに、ＣＰＵ３６２の一部を形成する。しかし、メモリをシステムに接続し得る多くの異なる方法がある。
【００７０】
インタフェース３６８は、通常、インタフェースカード（「ラインカード」と呼ばれることもある）として提供される。一般に、それらは、ネットワークを介してデータパケットの送受信を制御し、コンピューティングデバイス３００で使用される他の周辺装置をサポートすることがある。インタフェースの中から、イーサネット（登録商標）インタフェース、フレームリレーインタフェース、ケーブルインタフェース、ＤＳＬインタフェース、トークンリングインタフェース等を使用することができる。また、各種超高速インタフェースは、高速トークンリングインタフェース、ワイヤレスインタフェース、イーサネット（登録商標）インタフェース、ギガビットイーサネット（登録商標）インタフェース、ＡＴＭインタフェース、ＨＳＳＩインタフェース、ＰＯＳインタフェース、ＦＤＤＩインタフェース等を使用することができる。一般に、これらのインタフェースは、適切な媒体と通信する適切なポートを有する。いくつかの実施形態において、インタフェースは、さらに、独立したプロセッサと、場合によっては揮発性ＲＡＭと、を有する。独立したプロセッサは、パケット交換、媒体制御及び管理等の通信集中型タスクを制御することができる。通信集中タスク型用に別個のプロセッサを提供することにより、これらのインタフェースは、マスタマイクロプロセッサ３６２が、ルーティング計算、ネットワーク診断、セキュリティ機能等を効率的に実行できるようにする。
【００７１】
図３に示されるシステムは、本発明の１つの特定コンピューティングデバイスであるが、本発明の唯一のネットワーク装置構造であることを意味するのではない。例えば、通信やルーティング計算等を処理する単一のプロセッサを有するアーキテクチャが頻繁に用いられる。さらに、別のタイプのインタフェース及び媒体も、ルータと共に使用することができる。
【００７２】
ネットワークデバイスの構成にかかわらず、本明細書に記載のローミング、ルート最適化及びルーティング機能を実行する汎用ネットワーク操作及びメカニズムのためのプログラム命令を記憶するように構成された１つ以上のメモリ又はメモリモジュール（メモリ３６１を有する）を使用することができる。プログラム命令は、オペレーティングシステム、及び／又は、１つ以上のアプリケーションの操作を制御することができる。メモリ又は複数のメモリは、モビリティバインディング、登録及び関連テーブル等のテーブルを記憶するように構成することができる。
【００７３】
図４及び図５は、本発明の実施形態による例示的なシステムを示す図である。本発明の技術を実施する場合、より適切な実施形態を理解することができるであろう。当業者であれば、他のシステムの実施形態も可能であることが理解できるであろう。
【００７４】
図４は、システムバスコンピューティングシステム機構４００を示す図であり、システムのコンポーネントは、バス４０２を用いて互いに電気的に通信する。例示的なシステム４００は、処理ユニット（ＣＰＵ又はプロセッサ）４３０と、システムバス４０２と、を有する。システムバス４０２は、システムメモリ４０４（例えば、読み取り専用メモリ（ＲＯＭ）４０６及びランダムアクセスメモリ（ＲＡＭ）４０８）を含む各種システムコンポーネントをプロセッサ４３０に接続する。システム４００は、高速メモリのキャッシュを有し、キャッシュは、プロセッサ４３０に直接接続され、プロセッサ４３０に隣接して接続され、又は、プロセッサ４３０の一部として統合されてもよい。システム４００は、プロセッサ４３０による高速アクセスのために、メモリ４０４及び／又はストレージデバイス４１２からキャッシュ４２８にデータをコピーしてもよい。この方法において、キャッシュは、プロセッサ４３０がデータを待つ間に遅延が生じるのを防止する性能向上を提供する。これら及び他のモジュールは、様々な動作を実行するためにプロセッサ４３０を制御するように構成される。別のシステムメモリ４０４も同様に使用可能である。メモリ４０４は、異なるパフォーマンス特性を有する複数の異なるタイプのメモリを有することができる。プロセッサ４３０は、プロセッサ４３０を制御するように構成されたストレージデバイス４１２に記憶されたモジュール１  ４１４、モジュール２  ４１６及びモジュール３  ４１８等の任意の汎用目的プロセッサ及びハードウェアモジュール又はソフトウェアモジュールを含むことができ、ソフトウェア命令は、実際のプロセッサ設計に組み込まれる。プロセッサ４３０は、実質的に、複数のコア又はプロセッサ、バス、メモリコントローラ、キャッシュ等を含む完全に独立したコンピューティングシステムであってもよい。マルチコアプロセッサは、対称又は非対称であってもよい。
【００７５】
ユーザがコンピューティングデバイス４００と相互作用できるようにするため、入力装置４２０は、任意の数の入力メカニズム（例えば、スピーチ用のマイクロフォン、ジェスチャ又はグラフィカル入力用のタッチスクリーン、キーボード、マウス、モーション入力等）を表すことができる。出力装置４２２は、従来の技術で知られる１つ以上の数の出力メカニズムである。場合によっては、マルチモーダルシステムは、ユーザがコンピューティングデバイス４００と通信するために、複数のタイプの入力を提供できるようにする。通信インタフェース４２４は、通常、ユーザ入力及びシステム出力を支配及び管理することができる。特定のハードウェア構成における操作に制限がないため、ここでの基本的な機能は、改良されたハードウェアやファームウェアの構成が開発されるときに容易に置き換えることができる。
【００７６】
ストレージデバイス４１２は不揮発性メモリであり、ハードディスク、又は、コンピュータがアクセス可能なデータを記憶することの可能な他のタイプのコンピュータ可読媒体（例えば、磁気カセット、フラッシュメモリカード、ソリッドステートメモリ装置、デジタル多用途ディスク、カートリッジ、ランダムアクセスメモリ（ＲＡＭ）４０８、読み取り専用メモリ（ＲＯＭ）４０６及びこれらの組み合わせ等）であってもよい。
【００７７】
ストレージデバイス４１２は、プロセッサ４３０を制御するためのソフトウェアモジュール４１４，４１６，４１８を有してもよい。他のハードウェア又はソフトウェアモジュールも含まれ得る。ストレージデバイス４１２は、システムバス４０２に接続されてもよい。一実施形態において、特定の機能を実行するハードウェアモジュールは、機能を実行するために、必要なハードウェアコンポーネント（例えば、プロセッサ４３０、バス４０２、ディスプレイ４３６等）と接続するコンピュータ読み取り可能媒体に記憶されたソフトウェアコンポーネントを含むことができる。
【００７８】
コントローラ４１０は、システム４００上の特殊なマイクロコントローラ又はプロセッサ（例えば、ＢＭＣ（ベースボード管理コントローラ））であってもよい。場合によっては、コントローラ４１０は、インテリジェントプラットフォーム管理インタフェース（ＩＰＭＩ）の一部であってもよい。さらに、場合によっては、コントローラ４１０は、システム４００のマザーボード又はメイン回路基板に組み込まれてもよい。コントローラ４１０は、システム管理ソフトウェアとプラットフォームハードウェアとの間のインタフェースを管理することができる。また、コントローラ４１０は、以下に説明するように、例えばコントローラ又は周辺コンポーネント等の各種システムデバイス及びコンポーネント（内部及び／又は外部）と通信することができる。
【００７９】
コントローラ４１０は、通知、警告及び／又は、イベントに対する特定の応答を生成し、遠隔装置又はコンポーネント（例えば、電子メールメッセージ、ネットワークメッセージ等）と通信し、自動ハードウェア障害回復工程等の指令や命令を生成する。システム管理者は、以下に更に説明するように、コントローラ４１０と遠隔通信して、特定のハードウェア障害回復工程又は操作を開始又は実行することができる。
【００８０】
システム４００上の異なるタイプのセンサ（例えば、センサ４２６）は、例えば、冷却ファン速度、電源状態、オペレーティングシステム（ＯＳ）状態、ハードウェア状態等のパラメータをコントローラ４１０に報告することができる。コントローラ４１０は、コントローラ４１０により受信されたイベント、警告、通知を管理及び記憶するシステムイベントログコントローラ及び／又はストレージを有してもよい。例えば、コントローラ４１０又はシステムイベントログコントローラは、１つ以上の装置及びコンポーネントからの警告や通知を受信し、当該警告や通知をシステムイベントログストレージコンポーネント内に維持することができる。
【００８１】
フラッシュメモリ４３２は、ストレージ及び／又はデータ転送に用いられるシステム４００によって使用される電子不揮発性コンピュータストレージ媒体又はチップであってもよい。フラッシュメモリ４３２は、電気的に消去及び／又は再プログラムされ得る。フラッシュメモリ４３２は、例えば、消去可能なプログラマブルＲＯＭ(ＥＰＲＯＭ)、電気的に消去可能なプログラマブルＲＯＭ(ＥＥＰＲＯＭ)、ＲＯＭ、ＮＶＲＡＭ、又は、相補型ＭＯＳ(ＣＭＯＳ)を有する。フラッシュメモリ４３２は、システム４００が起動するときに、システム４００により実行されるファームウェア４３４を、ファームウェア４３４に対して指定されたセットとともに記憶することができる。さらに、フラッシュメモリ４３２は、ファームウェア４３４により用いられる構成を記憶することができる。
【００８２】
ファームウェア４３４は、基本入力／出力システム（ＢＩＯＳ）又はその後継品、等価物（例えば、エクステンシブルファームウェアインタフェース（ＥＦＩ）又はユニファイドエクステンシブルファームウェアインタフェース（ＵＥＦＩ））を有する。システム４００が起動される毎に、ファームウェア４３４は、シーケンスプログラムとしてロードされ、実行される。ファームウェア１３４は、構成のセットに基づいて、システム４００に存在するハードウェアを識別、初期化、テストする。ファームウェア４３４は、システム４００上でのセルフテスト（例えば、パワーオンセルフテスト（ＰＯＳＴ））を実行する。このセルフテストは、各種ハードウェアコンポーネント（例えば、ハードディスクドライブ、光学読み取り装置、冷却装置、メモリモジュール、拡張カード等）の機能性をテストする。ファームウェア４３４は、オペレーティングシステム（ＯＳ）を記憶するために、メモリ４０４、ＲＯＭ４０６、ＲＡＭ４０８及び／又はストレージデバイス４１２内の領域をアドレス及び割り当てることができる。ファームウェア４３４は、ブートローダ及び／又はＯＳをロードし、システム４００の制御をＯＳに与えることができる。
【００８３】
システム４００のファームウェア４３４は、ファームウェア４３４がシステム４００内の各種ハードウェアコンポーネントをどのように制御するかを定義するファームウェア構成を有することができる。ファームウェア構成は、システム４００内の各種ハードウェアコンポーネントが起動される順序を判断する。ファームウェア４３４は、各種異なるパラメータの設定を許可するインタフェース（例えば、ＵＥＦＩ）を提供することができ、このパラメータは、ファームウェアのデフォルト設定のパラメータとは異なる。例えば、ユーザ（例えば、システム管理者）は、ファームウェア４３４を用いて、クロック及びバス速度を指定し、どの周辺機器をシステム４００に取り付けるか指定し、監視の状態（例えば、ファン速度及びＣＰＵ温度制限）を指定し、システム４００のパフォーマンス全体及び電力使用量に影響する多種の他のパラメータを指定する。
【００８４】
ファームウェア４３４は、フラッシュメモリ４３２に記憶されているものとして説明されているが、当業者は、ファームウェア４３４が、他のメモリ、コンポーネント（例えば、メモリ４０４又はＲＯＭ４０６）に記憶することができるのを理解するだろう。しかし、示されたフラッシュメモリ４３２に記憶されたファームウェア４３４は説明の目的の例であり、これに限定されない。
【００８５】
システム４００は１つ以上のセンサ４２６を有する。１つ以上のセンサ４２６は、例えば、１つ以上の温度センサ、熱センサ、酸素センサ、化学センサ、ノイズセンサ、ヒートセンサ、電流センサ、電圧検出器、気流センサ、流量センサ、赤外線放射温度計、熱流束センサ、温度計、高温計等を有する。１つ以上のセンサ４２６は、例えば、バス４０２を介して、プロセッサ、キャッシュ４２８、フラッシュメモリ４３２、通信インタフェース４２４、メモリ４０４、ＲＯＭ４０６、ＲＡＭ４０８、コントローラ４１０及びストレージデバイス４１２と通信する。また、１つ以上のセンサ４２６は、１つ以上の異なる手段（例えば、集積回路（Ｉ２Ｃ）、汎用出力（ＧＰＯ）等）を介して、システム内の他のコンポーネントと通信することができる。
【００８６】
図５は、説明した方法又は操作の実行、並びに、グラフィカルユーザインタフェース（ＧＵＩ）の生成及び表示に用いることができるチップセット機構を有する例示的なコンピュータシステム５００を示す図である。コンピュータシステム５００は、本発明の技術を実行するのに用いられるコンピュータハードウェア、ソフトウェア及びファームウェアを含むことができる。システム５００は、識別された計算を実行するように構成されたソフトウェア、ファームウェア及びハードウェアを実行することができる任意の数の物理的及び／又は論理的に異なるリソースを表すプロセッサ５１０を含むことができる。プロセッサ５１０は、プロセッサ５１０への入出力を制御することができるチップセット５０２と通信する。この例において、チップセット５０２は、情報を出力デバイス５１４（例えば、ディスプレイ）に出力し、ストレージデバイス５１６（磁気媒体、固体媒体を含む）に対して情報を読み書きする。また、チップセット５０２は、ＲＡＭ５１８に対してデータをやり取りする。各種ユーザインタフェースコンポーネント５０６と相互作用するブリッジ５０４は、チップセット５０２と相互作用するために提供され得る。このようなユーザインタフェースコンポーネント５０６は、キーボード、マイクロフォン、タッチ検出及び処理回路、ポインティングデバイス（マウス等）を有する。一般に、システム５００への入力は、機器及び／又は人間が生成した各種ソースの何れかから生じる。
【００８７】
また、チップセット５０２は、異なる物理的インタフェースを有する１つ以上の通信インタフェース５０８と相互作用する。このような通信インタフェースは、有線及び無線のローカルエリアネットワーク、ブロードバンドワイヤレスネットワーク及びパーソナルエリアネットワークのためのインタフェースを有する。本発明におけるＧＵＩを生成、表示及び使用する方法のいくつかのアプリケーションは、ストレージデバイス５１６又は５１８に記憶されたデータを分析するプロセッサ５１０が、順序付けられたデータセットを、物理的インタフェースを介して又は機器自身により生成されることにより受信する工程を有する。さらに、機器は、ユーザインタフェースコンポーネント５０６を介して、ユーザからの入力を受信し、適切な機能（例えば、プロセッサ５１０を用いて、これらの入力を解釈することによりブラウズ機能を実行する）を実行する。
【００８８】
さらに、チップセット５０２は、電源が投入されると、コンピュータシステム５００によって実行され得るファームウェア５１２と通信することができる。ファームウェア５１２は、ファームウェア構成のセットに基づいて、コンピュータシステム５００内に存在するハードウェアを認識、初期化及びテストすることができる。ファームウェア５１２は、システム５００上でセルフテスト（例えば、ＰＯＳＴ）を実行する。セルフテストでは、各種ハードウェアコンポーネント５０２〜５１０の機能をテストすることができる。ファームウェア５１２は、ＯＳを記憶するために、メモリ５１８内の領域をアドレス指定及び割り当てることができる。ファームウェア５１２は、ブートローダ及び／又はＯＳをロードし、システム５００の制御をＯＳに与える。場合によっては、ファームウェア５１２は、ハードウェアコンポーネント５０２〜５１０及び５１４〜５１８と通信する。ここで、ファームウェア５１２は、チップセット５０２及び／又は１つ以上の他のコンポーネントを介して、ハードウェアコンポーネント５０２〜５１０及び５１４〜５１８と通信する。場合によっては、ファームウェア５１２は、ハードウェアコンポーネント５０２〜５１０及び５１４〜５１８と直接通信することができる。
【００８９】
例示的なシステム３００，４００，５００は、より高い処理能力を提供するために、２つ以上のプロセッサ（例えば、３６３，４３０，５１０）を有することができ、又は、ネットワーク接続されたコンピューティングデバイスのグループ又はクラスタの一部であり得ることが理解されるであろう。
【００９０】
説明をわかりやすくするために、ある実施形態において、装置、デバイスコンポーネント、ソフトウェアで実施される方法における工程やルーティン、又は、ハードウェアとソフトウェアの組み合わせを含む個々の機能ブロックを有するものとして提示することができる。
【００９１】
いくつかの実施形態において、コンピュータ可読ストレージデバイス、媒体及びメモリは、ビットストリーム等を含むケーブル又は無線信号を有する。しかし、言及されるとき、非一時的な（non-transitory）コンピュータ読み取り可能ストレージ媒体は、エネルギー、キャリア信号、電磁波及び信号そのもの等の媒体を明確に排除する。
【００９２】
上記の例における方法は、コンピュータ読み取り可能媒体に記憶されるか利用可能なコンピュータ実行可能命令を用いて実施される。このような命令は、例えば特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（例えば、アセンブリ言語）、ファームウェア又はソースコードである。命令、使用した情報、及び／又は、説明した例による方法において生成された情報を記憶するために用いることができるコンピュータ読み取り可能媒体の例は、磁気又は光学ディスク、フラッシュメモリ、不揮発性メモリを備えるＵＳＢデバイス、ネットワークストレージデバイス等を含む。
【００９３】
これらの開示における方法を実施する装置は、ハードウェア、ファームウェア及び／又はソフトウェアを有し、各種フォームファクタの何れかを利用する。このようなフォームファクタの一般的な例は、ラップトップ、スマートフォン、スモールフォームファクタパーソナルコンピュータ、ＰＤＡ、ラックマウント型装置、スタンドアロン装置等を有する。ここで説明される機能性は、周辺装置又はアドインカードにも実装することができる。さらなる例として、このような機能性は、単一の装置で実行される異なるチップ間又は異なるプロセス間の回路基板上で実行することができる。
【００９４】
命令、かかる命令を伝達する媒体、それらを実行するコンピューティングリソース、及び、かかるコンピューティングリソースをサポートする他の構造は、本明細書に記載の機能を提供する手段である。
【００９５】
本発明の各種実施形態は、データセンタ上でサーバシステムの高効率バッテリシステムを充放電するシステム及び方法を提供する。特定の実施形態では、任意の操作を異なる命令でどのように実現するかを示しているが、他の実施形態では、任意の操作を異なる命令に組み込むことができる。説明を明瞭にするために、本発明のいくつかの実施形態において、デバイス、デバイスコンポーネント、ソフトウェア、又は、ハードウェアとソフトウェアの組み合わせで実現される方法における工程若しくはルーティンを有する機能ブロックを含むるものとして示される。
【００９６】
各種実施形態は、場合によっては、いくつかのアプリケーションの何れかを動作させるために用いられる１つ以上のサーバコンピュータ、ユーザコンピュータ又はコンピューティングデバイスを有する多種多様な動作環境で実行することができる。ユーザ又はクライアントデバイスは、標準のオペレーティングシステムを実行するデスクトップ又はラップトップコンピュータ等の多数の汎用パーソナルコンピュータ、並びに、モバイルソフトウェアを実行し、いくつかのネットワーク及びメッセージプロトコルをサポートすることができるセルラー、ワイヤレス及びハンドヘルド装置を含むことができる。このようなシステムは、さらに、開発及びデータベース管理等の目的のために様々な市販のオペレーティングシステム及び他の既知のアプリケーションを実行するいくつかのワークステーションを有する。これらの装置は、他の電子装置（例えば、ダミー端末、シンクライアント、ゲームシステム、及びネットワークを介して通信可能な他の装置等）を有する。
【００９７】
本発明のいくつかの実施態様又はその一部がハードウェアで実現される限り、本発明は、以下の技術の何れか又は組み合わせにより実現される。例えば、データ信号に基づきロジック機能を実行するロジックゲートを有する離散ロジック回路、適切な組み合わせのロジックゲートを有する特定用途向け集積回路（ＡＳＩＣ）、プログラマブルゲートアレイ（ＧＰＡ）等のプログラマブルハードウェア、フィールドプログラマブルゲートアレイ(ＦＰＧＡ)等が含まれる。
【００９８】
ほとんどの実施形態は、例えばＴＣＰ／ＩＰ、ＯＳＩ、ＦＴＰ、ＵＰｎＰ、ＮＦＳ、ＣＩＦＳ、ＡｐｐｌｅＴａｌｋ（登録商標）等の商用のプロトコルの何れかを用いて通信をサポートするために、当業者によく知られている少なくとも１つのネットワークを使用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク、及び、これらの任意の組み合わせである。
【００９９】
上記の例における方法は、コンピュータ読み取り可能媒体に記憶されるか利用可能なコンピュータ実行可能命令を用いて実施される。このような命令は、例えば、特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（例えば、アセンブリ言語）、ファームウェア又はソースコードである。命令、使用した情報、及び／又は、説明した例による方法において生成された情報を記憶するために用いることができるコンピュータ読み取り可能媒体の例は、磁気又は光学ディスク、フラッシュメモリ、不揮発性メモリを備えるＵＳＢデバイス、ネットワークストレージデバイス等を含む。
【０１００】
これらの開示における方法を実施する装置は、ハードウェア、ファームウェア及び／又はソフトウェアを有し、各種フォームファクタの何れかを利用する。このようなフォームファクタの一般的な例は、サーバコンピュータ、ラップトップ、スマートフォン、スモールフォームファクタパーソナルコンピュータ、ＰＤＡ等を有する。ここで説明される機能は、周辺装置又はアドインカードにも実装することができる。さらなる例として、このような機能は、単一の装置で実行される異なるチップ間又は異なるプロセス間の回路基板上で実行することができる。
【０１０１】
ウェブサーバを用いた実施形態において、ウェブサーバは、ＨＴＴＰサーバ、ＦＴＰサーバ、ＣＧＩサーバ、データサーバ、Ｊａｖａ（登録商標）サーバ、及び、ビジネスアプリケーションサーバを有する任意の種類のサーバ又は中間層アプリケーションを実行することができる。サーバは、ユーザ装置からの要求に応じて、例えば、任意のプログラミング言語（例えば、Ｊａｖａ（登録商標）、Ｃ、Ｃ＃、Ｃ＋＋）、任意のスクリプト言語（例えば、Ｐｅｒｌ、Ｐｙｔｈｏｎ、ＴＣＬ）、及びこれらの組み合わせで書き込まれる１つ以上のスクリプト又はプログラムとして実行される１つ以上のウェブアプリケーションを実行すること等により、プログラムやスクリプトを実行することができる。サーバは、公開市場で市販されているものを含むがこれに限定されないデータベースサーバを含むことができる。
【０１０２】
サーバシステムは、前述の様々なデータ記憶、他のメモリ、及び、ストレージ媒体を有する。これらは、例えば、ストレージ媒体が１つ以上のコンピュータにローカル接続され（及び／又は存在する）、又は、ネットワークにより、任意の若しくは全てのコンピュータから遠隔で連結される等のように、様々な場所に存在し得る。一組の特定の実施形態において、情報は、当業者によく知られているストレージエリアネットワーク（ＳＡＮ）中に存在することができる。同様に、コンピュータ、サーバ又は他のネットワーク装置に起因する機能を実行するのに必要とされる任意のファイルは、必要に応じてローカル及び／又はリモートに格納することができる。システムがコンピュータ化された装置を含む場合、このような装置は、バスを介して電気的に接続されるハードウェアコンポーネントを有し、コンポーネントは、例えば少なくとも１つの中央処理ユニット（ＣＰＵ）と、少なくとも１つの入力装置（例えば、マウス、キーボード、コントローラ、タッチセンサディスプレイコンポーネント、又は、キーパッド）と、少なくとも１つの出力装置（例えば、ディスプレイ装置、プリンタ、又は、スピーカ）と、を有する。このようなシステムは、さらに、１つ以上のストレージデバイス（例えば、ディスクドライブ、光学ストレージデバイス、及び、ソリッドステートストレージデバイス（例えば、ランダムアクセスメモリ（ＲＡＭ）又は読み取り専用メモリ（ＲＯＭ））、及び、除去可能な媒体装置、メモリカード、フラッシュカード等）を有する。
【０１０３】
このような装置は、さらに、上述したように、コンピュータ可読ストレージ媒体読み取り機、通信装置（例えば、モデム、ネットワークカード（有線又は無線）、赤外線コンピューティングデバイス）、及び、ワーキングメモリを有する。コンピュータ可読ストレージ媒体読み取り機は、コンピュータ可読ストレージ媒体に接続され、又は、コンピュータ可読ストレージ媒体を受け入れる。コンピュータ可読ストレージ媒体は、リモート、ローカル、固定、及び／又は、取り外し可能なストレージデバイスを表してもよく、一時的及び／又は永久的に、コンピュータ可読情報を含有、記憶、送信及び回収するストレージ媒体を表してもよい。システム及び各種デバイスは、一般に、少なくとも１つのワーキングメモリ装置に配置された複数のソフトウェアアプリケーション、モジュール、サービス、又は、他の素子を有し、当該他の素子は、オペレーティングシステム及びアプリケーションプログラム（例えば、クライアントアプリケーション又はウェブブラウザ）を有する。前述した例に基づいて、様々な変形例を有することができることを理解されたい。例えば、カスタマイズされたハードウェアを使用することもでき、及び／又は、特定の素子をハードウェア／ソフトウェア（ポータブルソフトウェア（例えば、アプレット）を含む）若しくはこれらの両方で実施することができる。さらに、その他のコンピューティングデバイス（例えば、ネットワーク入／出力装置）への接続も使用される。
【０１０４】
コード又はコードの一部を含むストレージ媒体及びコンピュータ可読媒体は、従来技術で用いられる任意の適切な媒体（例えば、ストレージ媒体及びコンピューティング媒体）を含む。この媒体は、揮発性及び不揮発性、取り外し可能、並びに、非取り外し可能媒体に限定されず、任意の方法や技術で実現され、情報（例えば、コンピュータ可読命令、データ構造、プログラムモジュール又は他のデータ）を記憶及び／又は送信する。この媒体は、ＲＡＭ、ＲＯＭ、ＥＰＲＯＭ、ＥＥＰＲＯＭ、フラッシュメモリ、他のメモリ技術、ＣＤ−ＲＯＭ、デジタル多用途ディスク（ＤＶＤ）、他の光学ストレージ、磁気カセット、磁気テープ、磁気ディスクストレージ、他の磁気ストレージデバイス、又は、他の任意の媒体を含み、必要な情報を記憶するのに用いられたり、システムデバイスによりアクセスされる。本明細書で提供される技術及び教示に基づいて、当業者であれば、本発明の各種態様を実施する他のやり方及び／又は方法を理解するであろう。
【０１０５】
明細書及び図面は、限定的ではなく例示的なものとみなされるべきである。しかしながら、特許請求の範囲に記載された発明のより広い趣旨及び範囲から逸脱することなく、様々な修正及び変更を行うことができることは明らかであろう。
【符号の説明】
【０１０６】
１００Ａ…サーバシステム
１００Ｂ…タイミングチャート
１００Ｃ…サーバシステム
１０１…ＡＣ電源
１０２…電源ユニット
１０３…バッテリバックアップシステム
１０３−１…マイクロコントローラユニット
１０３−２…バッテリチャージャ
１０３−３…バッテリパック
１０３−４…Ｏｒｉｎｇ  ＭＯＳＦＥＴ
１０４…ＰＳＵ＿ＯＵＴ
１０５…ＤＣ／ＤＣコンバータ
１０６…ベースボード管理コントローラ
１０７…ＢＢＵ＿ＯＵＴ
１０８…出力電圧
１０９…停電信号
１１０…通信インタフェース
１１１…周辺機器相互接続(ＰＣＩ)バス
１１２…メインメモリ
１１３…冷却コンポーネント
１１４…プロセッサ
１１５…ノースブリッジ(ＮＢ)ロジック
１１６…サウスブリッジ(ＳＢ)ロジック
１１７…ストレージデバイス
１１８…ＢＩＯＳ
１５０…ＩＳＡスロット
１５１…ＩＳＡスロット
１６０…ＰＣＩｅスロット
１６１…ＰＣＩｅスロット
１７０…ＰＣＩスロット
１７１…ＰＣＩスロット
２００…充放電方法
２０２−２２２…工程
３００…コンピューティングデバイス
３１５…バス
３６１…メモリ
３６２…ＣＰＵ
３６３…プロセッサ
３６８…インタフェース
４００…システムバスコンピューティングシステム機構
４０２…バス
４０４…メモリ
４０６…読み取り専用メモリ
４０８…ランダムアクセスメモリ
４１０…コントローラ
４１２…ストレージデバイス
４１４…モジュール１
４１６…モジュール２
４１８…モジュール３
４２０…入力装置
４２２…出力装置
４２４…通信インタフェース
４２６…センサ
４２８…キャッシュ
４３０…プロセッサ
４３２…フラッシュメモリ
４３４…ファームウェア
４３６…ディスプレイ
５００…コンピュータシステム
５０２…チップセット
５０４…ブリッジ
５０６…ユーザインタフェースコンポーネント
５０８…通信インタフェース
５１０…プロセッサ
５１２…ファームウェア
５１４…出力装置
５１６…ストレージデバイス
５１８…ランダムアクセスメモリ
【図１Ａ】
2019030203.tif 000003
【図１Ｂ】
2019030203.tif 000004
【図１Ｃ】
2019030203.tif 000005
【図２】
2019030203.tif 000006
【図３】
2019030203.tif 000007
【図４】
2019030203.tif 000008
【図５】
2019030203.tif 000009